(57)【要約】【課題】  同軸ケーブル用プラグに同軸ケーブルを接続しやすい同軸ケーブル用プラグを提供する。【解決手段】  本発明の同軸ケーブル用プラグ１は、同軸ケーブル２を接続するための同軸ケーブル接続口１１と、コネクタ接続用の中心コンタクト１２および外部コンタクト１３とを備えた中空状のプラグ本体１０からなる。プラグ本体１０には、同軸ケーブル接続口１１および外部コンタクト１３から離間した位置に、プラグ本体１０の内部空間に連通する窓孔１４が形成されている。【選択図】  図２
2019145216.tif 000002
【特許請求の範囲】
【請求項１】
同軸ケーブルを接続するための同軸ケーブル接続口と、コネクタ接続用の中心コンタクトおよび外部コンタクトとを備えた中空状のプラグ本体からなり、
前記プラグ本体には、前記同軸ケーブル接続口および前記外部コンタクトから離間した位置に、前記プラグ本体の内部空間に連通する窓孔が形成されている同軸ケーブル用プラグ。
【請求項２】
前記窓孔は、長孔状であり、
前記窓孔の長手方向は、同軸ケーブルがプラグ本体に差し込まれたときに同軸ケーブルから延びる芯線の長手方向に沿う請求項１に記載の同軸ケーブル用プラグ。
【請求項３】
前記窓孔は、短手方向の長さが４ｍｍ以下である請求項２に記載の同軸ケーブル用プラグ。
【発明の詳細な説明】
【技術分野】
【０００１】
本発明は、同軸ケーブル用プラグに関し、特に、テレビ端子に接続される同軸ケーブル用プラグに関するものである。
【背景技術】
【０００２】
従来、壁面のテレビ端子、または、テレビチューナを内蔵したパソコンもしくは各種ＡＶ機器のテレビ端子に接続される同軸ケーブル用プラグが知られている（例えば、特許文献１）。この種の同軸ケーブル用プラグは、コネクタ接続用の中心コンタクトおよび外部コンタクトが備えられたプラグ本体からなり、同軸ケーブルをプラグ本体に差し込み、中心コンタクトと同軸ケーブルの芯線、外部コンタクトと同軸ケーブルの編組線をそれぞれ導通させて使用される。
【先行技術文献】
【特許文献】
【０００３】
【特許文献１】特開平７−２１１４０１号公報
【発明の概要】
【発明が解決しようとする課題】
【０００４】
しかしながら、このような同軸ケーブル用プラグは、電波の漏洩を極力防ぐために同軸ケーブルを接続する接続口およびコネクタ接続用の接続口以外の開口は設けられていなかった。そのため、同軸ケーブルの芯線をプラグ本体に備えられている中心コンタクトに接続することが難しく、同軸ケーブル用プラグに同軸ケーブルを接続する作業に手間がかかるという問題が生じていた。
【０００５】
一方、電波法では２２２４ＭＨｚ〜３２２４ＭＨｚの周波数帯で漏洩電波４６．２ｄＢμＶ／ｍ以下という漏洩規格（以下、「電波漏洩規格」または単に「規格」という）が決まっており、その規格内でなら電波漏洩があっても他の機器への影響は少ないと考えられる。
【０００６】
本発明は、上記課題を解決するためになされたものであり、電波漏洩規格を満たしながらも、同軸ケーブル用プラグに同軸ケーブルを接続しやすい同軸ケーブル用プラグを提供することを目的とする。
【課題を解決するための手段】
【０００７】
本発明の同軸ケーブル用プラグは、同軸ケーブルを接続するための同軸ケーブル接続口と、コネクタ接続用の中心コンタクトおよび外部コンタクトとを備えた中空状のプラグ本体からなる。プラグ本体には、同軸ケーブル接続口および外部コンタクトから離間した位置に、プラグ本体の内部空間に連通する窓孔が形成されている。
【０００８】
本発明の同軸ケーブル用プラグは、同軸ケーブルが接続される同軸ケーブル接続口およびコネクタ接続用の外部コンタクトとは別の位置において、プラグ本体に窓孔が形成されている。窓孔はプラグ本体の内部空間に連通しているため、同軸ケーブルを同軸ケーブル接続口に差し込む際に、同軸ケーブルから延びる芯線の状態を窓孔から視認することができる。これにより、芯線の状態を確認しながら中心コンタクトと芯線とを接続することができ、容易に芯線を中心コンタクトに接続することができる。
【０００９】
好ましい実施形態の同軸ケーブル用プラグにおいては、窓孔は、長孔状であり、窓孔の長手方向は、同軸ケーブルがプラグ本体に差し込まれたときに同軸ケーブルから延びる芯線の長手方向に沿う。
【００１０】
このような構成とすることで、芯線の状態がより確認しやすくなり、より容易に芯線を中心コンタクトに接続することができる。
【００１１】
さらに好ましい実施形態の同軸ケーブル用プラグにおいては、窓孔は、短手方向の長さが４ｍｍ以下である。
【００１２】
このような構成とすることで、同軸ケーブル用プラグの使用時に開放されている開口部つまり窓孔の大きさが制限され、芯線の視認性を確保しつつ、電波漏洩の規格を満足できる。
【発明の効果】
【００１３】
本発明に係る同軸ケーブル用プラグによれば、芯線と中心コンタクトとの接続を容易に行うことができ、結果、同軸ケーブル用プラグに同軸ケーブルを容易に接続することができる。かつ同軸ケーブルカシメリングをカシメることにより、同軸ケーブル用プラグを確実にかつ強固に同軸ケーブルを接続できる。
【図面の簡単な説明】
【００１４】
【図１】本発明の同軸ケーブル用プラグの一実施形態を示す斜視図である。
【図２】図１の同軸ケーブル用プラグのケースを開けて背面から示す斜視図である。
【図３】図１の同軸ケーブル用プラグをケースを省略して示す斜視図である。
【図４】図１の同軸ケーブル用プラグをケースを省略して示す図で、（ａ）は縦断面図、（ｂ）は（ａ）のＡ−Ａ線断面図である。
【図５】図１の同軸ケーブル用プラグの一実施例で電波漏洩の試験を行った結果を示す図である。
【図６】図１の同軸ケーブル用プラグの他の実施例で電波漏洩試験を行った結果を示す図である。
【図７】比較例の同軸ケーブル用プラグで電波漏洩の試験を行った結果を示す図である。
【図８】本発明の同軸ケーブル用プラグの他の実施形態を示す斜視図である。
【図９】本発明の同軸ケーブル用プラグの他の実施形態を示す斜視図である。
【発明を実施するための形態】
【００１５】
以下、本発明に係る同軸ケーブル用プラグの一実施形態について、添付図面を参照して説明する。
【００１６】
同軸ケーブル用プラグ１は、同軸ケーブル２を接続するための同軸ケーブル接続口１１と、コネクタ接続用の中心コンタクト１２および外部コンタクト１３とを備えた中空状のプラグ本体１０からなる。図１〜図４に示すように、本実施形態では、プラグ本体１０は、有底状の第１筒体１０１と、第２筒体１０２とからなり、第１筒体１０１の底側部分の側面に第２筒体１０２が接続された略Ｌ字状を呈している。このとき、第１筒体１０１の内部空間と第２筒体１０２の内部空間とは連通している。第２筒体１０２の開口端が同軸ケーブル接続口１１となり、第１筒体１０１の開口端部が外部コンタクト１３となる。外部コンタクト１３の中心部に、中心コンタクト１２が設けられている。また、第２筒体１０２の間にはカシメリング１０３が設けられており、同軸ケーブル２を固定する。これにより、同軸ケーブル接続口１１からの電波漏洩を防止できる。
【００１７】
プラグ本体１０を構成する第２筒体１０２の側面には、プラグ本体１０の内部空間すなわち第２筒体１０２の内部空間に連通する窓孔１４が形成されている。窓孔１４は、電波漏洩規格を満足し、かつ、プラグ本体１０の内部、特に同軸ケーブル２の芯線２１の挿入時に後述する芯線接続具１５の芯線接続用バネ１５２が芯線２１を狭持しているのを視認できれば、任意の大きさおよび形状にすることができる。なお、ここでいう視認とは、窓孔１４の真正面に見えることのみでなく、窓孔１４を覗き込んだときに斜め方向に見えることも含むものである。
【００１８】
本実施形態では、窓孔１４は、長孔状を呈しており、窓孔１４の長手方向が、同軸ケーブル２がプラグ本体１０に差し込まれたときに同軸ケーブル２から延びる芯線２１の長手方向に沿うように形成されている。
【００１９】
窓孔１４の大きさは、任意の大きさとすることができるが、短手方向の長さＷ（図２参照）を４ｍｍ以下とすることが好ましく、短手方向の長さＷを３ｍｍ以上４ｍｍ以下とすることがさらに好ましい。窓孔１４の短手方向の長さＷを４ｍｍ以下とすることで、テレビ放送で利用される２２２４ＭＨｚ〜３２２４ＭＨｚ帯域の電波漏洩を確実に規格内に留めることができる。また、窓孔１４の短手方向の長さＷを３ｍｍ以上とすることで、芯線２１の視認性を高めることができる。
【００２０】
中心コンタクト１２は、第１筒体１０１の内部において、第１筒体１０１の開放端部から、第１筒体１０１と第２筒体１０２とが連通する部分（以下、「連通部分」という）まで延びている。中心コンタクト１２の内側端部、つまり第１筒体１０１の底側に位置する端部には、芯線接続具１５が取り付けられている。
【００２１】
芯線接続具１５は、中心コンタクト１２と接触する接触部１５１と、芯線２１を挟持する一対の芯線接続用バネ１５２と、接触部１５１と芯線接続用バネ１５２との間に設けられる支持部１５３とから構成されている。支持部１５３は、接触部１５１と芯線接続用バネ１５２とが互いに導通するように、接触部１５１および芯線接続用バネ１５２を支持している。この芯線接続具１５は、第１筒体１０１と第２筒体１０２との連通部分から第２筒体１０２の内部へと延びている。そして、芯線接続部１５は、第１筒体１０１と第２筒体１０２との連通部分において接触部１５１が中心コンタクト１２と接触するときに、芯線接続用バネ１５２が窓孔１４から視認できる大きさとなっている。このとき、芯線接続用バネ１５２の窓孔１４側の表面が第２筒体１０２の表面から４．７５ｍｍ以上の深さＤ（図４参照）に位置するように、芯線接続部１５が設けられていることが好ましい。これにより、窓孔１４から電波が漏洩することを抑制することができる。
【００２２】
同軸ケーブル２の芯線２１は、同軸ケーブル接続口１１から挿入されることで、芯線接続具１５と接触し、互いに導通するようになっている。また、第２筒体１０２が編組線接続部としての役割を果たし、第２筒体１０２の先端の外周に同軸ケーブル２の編組線２２を接触させた状態で固定することで、同軸ケーブル２が第２筒体１０２と導通するようになっている。
【００２３】
図１および図２に示すように、同軸ケーブル用プラグ１は、プラグ本体１０を覆うケース３０を備えている。ケース３０は、樹脂材により形成され、本体部３２と蓋部３１とがヒンジ結合されてなる。ケース３０は、本体部３２に蓋部３１が閉じられたときに、内部にプラグ本体１０を収容可能な大きさの内部空間を有している。本体部３１には、外部コンタクト１２を突出させるための開口３２ａが形成されている。また、ケース３０の本体部３２および蓋部３１には、プラグ本体１０を収容してケース３０を閉じたときに同軸ケーブル接続口１１と対向する位置に、同軸ケーブル２を挿し込むための開口３０ａが形成されている。なお、ケース部３０は必ずしも必須の構成ではなく、プラグ本体１０のみで同軸ケーブル用プラグ１を構成してもよい。
【００２４】
このように構成された同軸ケーブル用プラグ１は、次のようにして組み立てられて使用される。まず、本体部３２と蓋部３１とを開いた状態で、開口３２ａから外部コンタクト１２を突出させることで、プラグ本体１０をケース３０に収める。それから、同軸ケーブル２を同軸ケーブル接続口１１からプラグ本体１０内に差し込み、窓孔１４から芯線２１の状態を確認しながら、芯線２１を芯線接続具１５に接続させる。次に、同軸ケーブルの外皮２３とフリーブ１１aを、カシメリング１０３を使用して固定する。そして、蓋部３１を閉じる。このとき、開口３０ａから同軸ケーブル２が突出する。
【００２５】
以上のように、本実施形態の同軸ケーブル用プラグ１では、プラグ本体１０の第２筒体１０２の側面に、長孔状の窓孔１４が形成されている。さらに、窓孔１４の長手方向が、同軸ケーブル２がプラグ本体１０に差し込まれたときに同軸ケーブル２から延びる芯線２１の長手方向に沿っている。この窓孔１４はプラグ本体１０の第２筒体１０２の内部空間に連通しているため、同軸ケーブル２を同軸ケーブル接続口１１に差し込む際に、同軸ケーブル２から延びる芯線２１の状態を窓孔１４から視認することができる。これにより、芯線２１の状態を確認しながら中心コンタクト１２（芯線接続具１５）と芯線２１とを接続することができ、容易に芯線２１を中心コンタクトに接続することができる。
【００２６】
また、窓孔１４の短手方向の長さＷが４ｍｍ以下であるので、同軸ケーブル用プラグ１の使用時に開放されている開口部（窓孔１４）の大きさが制限され、芯線２１の視認性を確保しつつ、電波漏洩を確実に規格内に抑えることができる。
【００２７】
（実施例１）
次に、本発明の効果を検証するために行った試験の結果について説明する。本発明の実施例１として、上記実施形態に係る同軸ケーブル用プラグ１を用いた。窓孔１４は、短手方向の長さＷが３．２ｍｍ、長手方向の長さＨ（図２参照）が５．０ｍｍの長孔状とした。芯線接続用バネ１５２の窓孔１４側の表面は、第２筒体１０２の表面から４．７５ｍｍの深さＤとした。同軸ケーブル２には、S-5C-FBを１０ｃｍの長さで用いた。この同軸ケーブル２が接続された同軸ケーブル用プラグ１に、１００ｄＢμＶ／ｍの電波を入力し、電波漏洩を測定した。試験結果を図５に示す。なお、窓孔１４の長手方向の長さＨを５．０ｍｍとしたが、これは、長手方向の長さＨが電波漏洩に大きく影響しないため、芯線２１の視認性を高めるために行ったものである。窓孔１４の長手方向の長さＨは４．０ｍｍ以下がより好ましい。
【００２８】
電波漏洩規格に基づくと、漏洩電波は、水平偏波および垂直偏波がともに４６．２ｄＢμＶ／ｍ以下である必要がある。図５に示す通り、上記の通り窓孔１４を設けたとしても、水平偏波で最大２２．６ｄＢμＶ／ｍ、垂直偏波で最大３３．３８ｄＢμＶ／ｍの電波が漏洩するのみで、十分に電波漏洩規格内に電波漏洩が抑制されていることがわかる。
【００２９】
（実施例２）
次に、上記実施例１において用いた同軸ケーブル用プラグ１において、窓孔１４の短手方向の長さＷを４．０ｍｍとしたときの試験結果を図６に示す。実施例２は、窓孔１４の短手方向の長さＷ以外は、上記実施例１と同じ構成の同軸ケーブル用プラグ１で、同じ条件にて試験を行っている。
【００３０】
図６に示す通り、窓孔１４の短手方向の長さＷを４．０ｍｍとしても、偏波は、電波漏洩規格において許容されている電波漏洩の大きさである４０．２ｄＢμＶ／ｍ以内に抑制されていることがわかる。
【００３１】
（比較例）
次に、上記実施例において用いた同軸ケーブル用プラグ１において、窓孔１４の短手方向の長さＷを５．０ｍｍとしたときの試験結果を図７に示す。比較例は、窓孔１４の短手方向の長さＷ以外は、上記実施例１および実施例２と同じ構成の同軸ケーブル用プラグ１で、同じ条件にて試験を行っている。
【００３２】
図７に示す通り、窓孔１４の短手方向の長さＷを５．０ｍｍとすると、偏波がともに、電波漏洩規格において許容されている電波漏洩の大きさである４６．２ｄＢμＶ／ｍを超えている。すなわち、電波漏洩が十分に抑制されていないことがわかる。
【００３３】
以上、本発明の一実施形態について説明したが、本発明はこの実施形態に限定されるものではなく、その趣旨を逸脱しない限りにおいて、種々の変更が可能である。
【００３４】
例えば、上記実施形態では、窓孔１４は、第２筒体１０２の側面に設けているが、窓孔１４を設ける位置は、第２筒体１０２に限られない。すなわち、窓孔１４は、同軸ケーブル接続口１１および外部コンタクト１３から離間した、プラグ本体１０の任意の位置に設けることができ、例えば、図８に示すように、第１筒体１０１の底面に設けてもよい。なお、この形態では、中心コンタクト１２および芯線接続具１５はともに、第１筒体１０１の内部に設けられる。すなわち、中心コンタクト１２が第１筒体１０１の開放端から長手方向中央部分まで延び、芯線接続具１５が中心コンタクト１２の内側端部（底側の端部）から第２筒体１０２との連通部分まで延びている。このとき、芯線接続具１５の芯線２１を挟持する部分、つまり、一対の芯線接続用バネ１５２の最も間隔の狭い部分が、第１筒体１０１の底面から４．７５ｍｍ以上の深さに位置すればよい。
【００３５】
また、上記実施形態では、ケース３０は、単に樹脂材で製造されているが、例えば、ケース３０が閉じられたときに、蓋部３１の窓孔１４と対向する位置に金属板を備えても良い。これにより、金属板が窓孔１４の蓋としての機能を果たし、より確実に電波漏洩を抑制することができる。また、この場合、金属板により電場漏洩が抑制されるため、窓孔１４の大きさを大きくすることもできる。
【００３６】
また、上記図２および図８に示す実施形態では、中心コンタクト１２および芯線接続具１５が直線状に構成されているが、例えば、中心コンタクト１２または芯線接続具１５をＬ字状とし、第１筒体１０１および第２筒体１０２にまたがって設けられる構成としてもよい。
【００３７】
また、上記実施形態では、ワンタッチタイプ（差し込み式タイプ）の同軸ケーブル用プラグ１について説明しているが、本発明は、上記同軸ケーブル用プラグ１に限られない。本発明は、同軸ケーブル２を接続するための同軸ケーブル接続口１１と、コネクタ接続用の中心コンタクト１２および外部コンタクト１３とを備えている既知の任意のプラグ本体１０に適用することができる。例えば、本発明は、Ｌ字型の同軸ケーブル用プラグ１に限られず、図９に示すようなストレートタイプの同軸ケーブル用プラグ１にも適用することができる。また、本発明は、一般的なＦ型接栓である外部コンタクトに雌ネジが切られているネジ式の同軸ケーブル用プラグにも適用することができる。
【００３８】
また、上記実施形態では、窓孔１４を開口として形成しているが、窓孔１４を透明アクリル樹脂で覆ってもよい。これにより防塵効果を得ることができ、塵などによる接触不良を防止できる。
【符号の説明】
【００３９】
１      同軸ケーブル用プラグ
２      同軸ケーブル
１０    プラグ本体
１１    同軸ケーブル接続口
１２    中心コンタクト
１３    外部コンタクト
１４    窓孔
２１    芯線
３０    ケース
３０a   同軸ケーブル挿し込み用開口
３１    蓋部
３２    本体部
３２a   開口
１０１  弟１筒体
１０２  弟２筒体
１０３  カシメリング
１５１  接触部
１５２  芯線接続用バネ
１５３  支持部
【図１】
2019145216.tif 000003
【図２】
2019145216.tif 000004
【図３】
2019145216.tif 000005
【図４】
2019145216.tif 000006
【図５】
2019145216.tif 000007
【図６】
2019145216.tif 000008
【図７】
2019145216.tif 000009
【図８】
2019145216.tif 000010
【図９】
2019145216.tif 000011